【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
流体継手アセンブリ（１０）であって、
入口開口（２８）を画成する軸方向円筒面（３６）を含み軸方向に延在する管受け孔（２６）を画成するコネクタ本体（１４）と、
前記入口開口（２８）から前記コネクタ本体（１４）の孔（２６）に軸方向に挿入可能な保持器（１６）であって、前記孔内に配置される本体部（５４）と、該本体部（５４）から前記入口開口（２８）に向かって後方に延在する少なくとも２つのロッキング部材（６６、６８）を含み、該少なくとも２つのロッキング部材（６６、６８）は、前記入口開口（２８）からの前記保持器（１６）の挿入時に半径方向内方に撓むことが可能である、保持器（１６）と
を備え、
前記ロッキング部材（６６、６８）はそれぞれ、前記孔（２６）への前記保持器（１６）の挿入中に、前記入口開口（２８）を画成する前記面（３６）と係合可能な少なくとも１つの撓み面（８４、８６、１１７）を画成し、前記少なくとも２つのロッキング部材のうち１つのロッキング部材（６８）の前記少なくとも１つの撓み面（１１７）は、前記保持器の本体部（５４）に向かって、前記少なくとも２つのロッキング部材（６６、６８）のうち他のロッキング部材（６６）の前記少なくとも１つの撓み面（８４、８６）の軸方向前方に配置され、かつ前記入口開口を画成する前記軸方向円筒面が前記少なくとも２つのロッキング部材（６６、６８）のうち前記他のロッキング部材（６６）の前記少なくとも１つの撓み面（８４、８６）と係合する前に、前記入口開口を画成する面（３６）と係合可能である、流体継手アセンブリ（１０）。
【請求項２】
前記少なくとも２つのロッキング部材のうちの他のロッキング部材（６６）の前記少なくとも１つの撓み面（８４、８６）の軸方向前方に配置される前記少なくとも１つの撓み面（１１７）を有する、前記少なくとも１つのロッキング部材（６８）は、前記少なくとも１つの撓み面（１１７）を画成する少なくとも１つの傾斜部（１１６）を含む、請求項１に記載の流体継手アセンブリ（１０）。
【請求項３】
前記保持器の本体部（５４）は、環状リング（５４）を備え、前記ロッキング部材（６６、６８）は、前記環状リング（５４）から軸方向後方に延在する少なくとも１つのコラム（７４）を含み、前記少なくとも１つのロッキング部材（６８）の前記少なくとも１つの傾斜部（１１６）は、前記少なくとも１つのコラム（７４）に配置される、請求項２に記載の流体継手アセンブリ（１０）。
【請求項４】
前記少なくとも１つの傾斜部（１１６）を含む前記少なくとも１つのロッキング部材（６８）は、傾斜部（１１６）をそれぞれ有する２つの前記コラム（７４）を含む、請求項３に記載の流体継手アセンブリ（１０）。
【請求項５】
前記保持器（１６）は、前記コラム（７４）それぞれに傾斜部（１１６）を有する２つのロッキング部材（６８）を含む、請求項４に記載の流体継手アセンブリ（１０）。
【請求項６】
前記保持器は、前記コラム（７４）それぞれに傾斜部（１１６）を有する２つのロッキング部材（６８）と、２つの前記他のロッキング部材（６６）とを含む、請求項５に記載の流体継手アセンブリ（１０）。
【請求項７】
前記コラム（７４）それぞれに前記傾斜部（１１６）を有する前記２つのロッキング部材（６８）は、互いに直径方向に対向して配置され、前記２つの前記他のロッキング部材（６６）は、前記コラム（７４）それぞれに前記傾斜部（１１６）を有する前記ロッキング部材（６８）間に互いに直径方向に対向して配置される、請求項６に記載の流体継手アセンブリ（１０）。
【請求項８】
前記ロッキング部材（６６、６８）はそれぞれ、前記少なくとも１つのコラム（７４）によって支持されるロッキングアーム（８０）を含み、該ロッキングアーム（８０）は、前部当接面（８２）、後部当接面（８８）、及びこれらの間に延びて前記ロッキング部材の撓み面を画成する傾斜外面（８４、８６）を含む、請求項３乃至７のいずれか一項に記載の流体継手アセンブリ（１０）。
【請求項９】
前記少なくとも１つの傾斜部（１１６）によって画成される前記少なくとも１つの撓み面（１１７）は、前記ロッキングアーム（８４、８６）の前記撓み面の軸方向前方に配置される、請求項８に記載の流体継手アセンブリ（１０）。
【請求項１０】
前記コネクタ本体（１４）は、前記入口開口の内方に環状の半径方向面（３８）を含み、前記流体継手アセンブリは、外側円筒部（２４）及びそこから半径方向外方に延びる環状の拡径部（２２）を有する管状部材（２０）を含み、該管状部材は、前記ロッキングアーム（８０）の前記前部当接面（８２）を前記拡径部（２２）と当接関係にし、且つ前記ロッキングアーム（８０）の前記後部当接面（８８）を前記コネクタ本体（１４）の前記環状の半径方向面（３８）と当接関係にして、前記コネクタ本体の前記孔（２６）内に配置される、請求項８または９に記載の流体継手アセンブリ（１０）。
【請求項１１】
前記流体継手アセンブリ（１０）は、シール部材（１８）を含み、前記保持器（１６）は、前記保持器の本体部（５４）の前方に延びる延長部（６２）を含み、且つ前記シール部材（１８）と当接関係の半径方向前方環状面（６４）を含む、請求項１乃至９のいずれか一項に記載の流体継手アセンブリ。
【請求項１２】
前記流体継手アセンブリは、前記管（２０）の前記外側円筒部（２４）を囲んで前記コネクタ本体の前記孔内に配置されるＯリングシール（１８）を含み、前記保持器（１６）は、前記リング（５４）の前方に延びる環状延長部（６２）を含み、該環状延長部（６２）は、前記Ｏリングシール（１８）と当接関係で配置される半径方向前方環状面（６４）を含む、請求項１０に記載の流体継手アセンブリ（１０）。
【請求項１３】
流体継手アセンブリを形成する方法であって、該流体継手アセンブリは、
管受け孔（２６）を画成し、入口開口（２８）を画成する軸方向円筒面（３６）を含み、且つ前記孔内に環状の半径方向面（３８）を画成する、コネクタ本体（１４）と、
外側円筒部（２４）及び該外側円筒部から半径方向外方に延びる環状の拡径部（２２）を有する管状部材（２０）と、
本体部（５４）及び該本体部から後方に延びる少なくとも１つのロッキング部材（６６、６８）を含む保持器（１１６）であって、前記少なくとも１つのロッキング部材（６６、６８）は、前部当接面（８２）及び後部当接面（８８）を有するロッキングアーム（８０）を含む、保持器（１１６）と、
前記コネクタ本体（１４）の前記孔（２６）内と前記管状部材（２０）の前記円筒面（２４）との間に流体密封シールを提供するシール部材（１８）と
を備え、該方法は、
前記前部当接面（８２）を前記拡径部（２２）と当接関係にして、前記保持器（１６）を前記管状部材（２０）に取り付けること、
前記保持器（１６）の前方で前記シール部材（１８）を前記管状部材（２２）に取り付けること、及び
前記管状部材（２２）、前記シール部材（１８）、及び前記保持器（１６）を、前記入口開口（２８）から前記コネクタ本体（１４）の前記孔（２６）に挿入するとともに、前記後部当接面（８８）を前記孔（２６）内の前記環状の半径方向面（３８）と当接関係に配置すること
を含む、流体継手アセンブリを形成する方法。
【請求項１４】
前記保持器（１６）は、前記入口開口画成面（３６）と係合可能な少なくとも１つの撓み面（８４、８６、１１７）をそれぞれ画成する少なくとも２つのロッキング部材（６６、６８）を含み、該ロッキング部材（６６、６８）はそれぞれ、前部当接面（８２）及び後部当接面（８８）を有するロッキングアーム（８０）を含み、
前記少なくとも２つのロッキング部材のうち少なくとも１つのロッキング部材（６８）の前記撓み面（１１７）は、前記少なくとも２つのロッキング部材のうち他のロッキング部材（６６）の前記撓み面（８４、８６）より軸方向前方に配置され、
前記ステップは、該入口開口画成面（３６）が前記少なくとも２つのロッキング部材のうち他のロッキング部材（６６）の前記少なくとも１つの撓み面（８４、８６）と係合する前に、前記少なくとも２つのロッキング部材のうち前記他のロッキング部材（６６）の前記撓み面（８４、８６）より軸方向前方に配置される前記少なくとも１つの撓み面（１１７）を有する前記少なくとも２つのロッキング部材のうち前記少なくとも１つのロッキング部材（６８）の前記撓み面（１１７）を前記入口開口画成面（３６）と係合させることを含む、請求項１３に記載の流体継手アセンブリを形成する方法。
【請求項１５】
前記保持器（１６）の前記少なくとも２つのロッキング部材（６６、６８）は、前記保持器（１６）の前記本体（５４）から延びる一対のコラム（７４）と、該コラム（７４）を接続する後部接続梁（７６）とを含み、前記ロッキング部材（６６、６８）それぞれの前記ロッキングアーム（８０）は、前記後部接続梁（７６）と接続されており、
前記管状部材（２２）、前記シール部材（１８）、及び前記保持器（１６）を前記コネクタ本体（１４）の前記孔（２６）に挿入するステップはさらに、前記ロッキング部材（６６、６８）の前記コラム（７４）を曲げること、及び前記コネクタを前記ロッキングアーム（８０）と前記後部接続梁（７６）との間で曲げることを含む、請求項１４に記載の流体継手アセンブリを形成する方法。
【請求項１６】
前記保持器は、４つのロッキング部材（６６、６８）を含み、前記ロッキング部材のうち２つ（６８）は、該２つのロッキング部材（６８）の前記コラムのうち少なくとも一方（７４）から半径方向外方に延びる傾斜部（１１７）を有し、該傾斜部（１１６）は、前記入口開口画成面（３６）と係合可能な撓み面（１１７）を画成し、
前記ステップはさらに、
前記入口開口画成面（３６）が前記保持器（１６）の他の撓み面（８４、８６）と係合する前に、前記入口画成面（３６）を前記傾斜部（１１７）それぞれの前記撓み面（１１６）と係合させることを含む、請求項１５に記載の流体継手アセンブリを形成する方法。
【請求項１７】
前記２つのロッキング部材（６８）の前記コラムのうち少なくとも一方（７４）から半径方向外方に延びる傾斜部（１１６）を有するロッキング部材（６８）は、前記２つのロッキング部材（６８）の前記コラム（７４）それぞれに傾斜部（１１６）を含み、
前記ステップはさらに、
前記コネクタ本体（１４）の前記入口開口画成面（３６）が前記保持器（１６）の他の撓み面（８４、８６）と係合する前に、前記コネクタ本体（１４）の前記入口開口画成面（３６）を、前記傾斜部（１１６）によって画成される前記撓み面（１１７）と係合させることを含む、請求項１６に記載の流体継手アセンブリを形成する方法。
【請求項１８】
前記傾斜部（１１６）を有する前記２つのロッキング部材（６８）は、互いに直径方向に対向して配置され、前記２つの他のロッキング部材（６６）は、前記傾斜部（１１６）を有する前記ロッキング部材（６８）間に配置され、
前記ステップはさらに、
前記コネクタ本体（１４）の前記入口開口画成面（３６）が前記保持器（１６）の他の撓み面（８４、８６）と係合する前に、前記コネクタ本体（１４）の前記入口開口画成面（３６）を前記傾斜部（１１８）の前記撓み面（１１７）と係合させ、それにより、前記他の２つのロッキング部材（６６）の前記コラム（７４）を撓ませる前に、前記傾斜部（１１６）を含む前記２つのロッキング部材（６８）の前記コラム（７４）を撓ませることを含む、請求項１７に記載の流体継手アセンブリを形成する方法。
【請求項１９】
保護キャップ（１３２）を設けて、前記シール部材（１８）及び前記保持器（１６）を前記保護キャップ（１３２）に取り付けること、
前記シール部材（１８）、前記保持器（１６）、及び前記保護キャップ（１３２）を前記管状部材に取り付けること、及び
前記シール部材（１８）、前記保持器（１６）、及び前記管状部材（２０）を前記入口開口（２８）から前記コネクタ本体（１４）に挿入する前に、前記保護キャップ（１３２）を前記管状部材（２０）、前記シール部材（１８）、及び前記保持器（１６）から取り外すこと
を含む、請求項１８に記載の流体継手アセンブリを形成する方法。
【請求項２０】
前記管状部材（２０）への取り付け時に前記シール部材（１８）が前記保護キャップ（１３２）内に存在することを確保することを含み、
前記ステップは、
前記シール部材（１８）が存在しない場合に前記保護キャップ（１３２）と前記保持器（１６）とを相対的に軸方向に動かし、それにより、前記取り付けステップ中に前記保護キャップ（１３２）及び前記保持器（１６）が前記管状部材（２０）に取り付けられることを防止すること
を含む、請求項１９に記載の流体継手アセンブリを形成する方法。
【請求項２１】
クイックコネクタ継手の保護キャップサブアセンブリであって、
中空スリーブ（１３４）、該スリーブから離間した環状リング（１３６）、前記スリーブ（１３４）を前記リング（１３６）につなぐ少なくとも１つのコラム（１５２）、及び前記スリーブ（１３４）から延びる少なくとも１つの固定クリップ（１５４）を有する保護キャップ（１３２）と、
前記少なくとも１つのコラム（１５２）及び前記少なくとも１つの固定クリップ（１５４）の半径方向内方に配置されるシール部材（１８）と、
前記少なくとも１つの固定クリップ（１５４）によって前記保護キャップ（１３２）に着脱可能に接続される環状リング部（５４）を含む保持器（１６）であって、前記少なくとも１つの固定クリップ（１５４）は、前記保持器（１６）を前記保護キャップ（１３２）から離脱させるように曲がることができるように構成されている、保持器（１６）と
を備える、クイックコネクタ継手の保護キャップサブアセンブリ。
【請求項２２】
前記保護キャップ（１３２）は、前記スリーブ（１３４）から半径方向に延びる２つの固定クリップ（１５４）を含み、該固定クリップ（１５４）はそれぞれ、前記リング（５４）に向かって軸方向に延びるフック（１６０）を含み、該フック（１６０）は、前記保持器（１６）の前記リング部（５４）に着脱可能に接続されるように構成され、前記固定クリップ（１５４）はさらに、前記フック（１６０）を前記保持器のリング部から離脱させるように曲がるようになっている狭窄首部（１５６）を画成する、請求項２１に記載のクイックコネクタ継手の保護キャップサブアセンブリ。
【請求項２３】
前記保持器（１６）は、前記シール部材（１８）に向かって延びる前方環状延長部（６２）を含み、前記固定クリップ（１５４）は、半径方向停止面（１７１）を画成し、前記シール部材（１８）は、前記半径方向停止面（１７１）と前記保持器（１６）の前記環状延長部（６２）との間に配置される、請求項２２に記載のクイックコネクタ継手の保護キャップサブアセンブリ。
【請求項２４】
前記フック（１６０）はそれぞれ、前記保持器（１６）の前記リング部（５４）と着脱可能に係合する半径方向当接面（１６８）を含み、前記固定クリップ（１５４）の前記半径方向停止面（１７１）と前記フック（１６０）の前記半径方向当接面（１６８）との間の軸方向距離は、前記シール部材（１８）、前記保持器（１６）の前記前方環状延長部（６２）、及び前記保持器の前記リング部（５４）を合わせた軸方向の厚さよりもわずかに大きく、前記シール部材（１８）、前記保持器（１６）の前記前方環状延長部（６２）、及び前記保持器（１６）の前記リング部（５４）は、前記固定クリップ（１５４）の前記半径方向停止面（１７１）と前記フック（１６０）の前記半径方向当接面（１６８）との間に配置される、請求項２３に記載のクイックコネクタ継手の保護キャップサブアセンブリ。
【請求項２５】
前記フック（１６０）はそれぞれ、前記シール部材（１８）の外周よりもわずかに小さな距離で互いに離間した前方軸方向延在面（１７０）を画成し、前記シール部材（１８）は、前記フック（１６０）の前記軸方向延在面（１７０）間に配置される、請求項２４に記載のクイックコネクタ継手の保護キャップサブアセンブリ。
【請求項２６】
前記保持器（１６）は、前記リング部（５４）から軸方向に延びる少なくとも２つのロッキング部材（６６、６８）を含み、該ロッキング部材（６６、６８）はそれぞれ、ロッキングアーム（８０）を含み、前記ロッキング部材（６６、６８）及び前記ロッキングアーム（８０）は、関連する管状部材（２０）の拡径部（２２）との係合時に半径方向外方に曲がって前記拡径部（２２）及び前記ロッキングアーム（８０）が相対的に軸方向に動くことを可能にするようになっており、
前記保護キャップ（１３２）の前記環状リング（１３６）は、前記ロッキング部材（６６、６８）の前記ロッキングアーム（８０）と重なって近接した離間関係で配置することができ、関連する管状部材（２０）の前記拡径部（２２）の前記曲げを防止して前記相対的な軸方向の動きを防止する内側円錐面（１４６）を画成し、
前記保護キャップ（１３２）の前記環状リング（１３６）の前記内側円錐面（１４６）は、該保護キャップサブアセンブリに前記シール部材（１８）が存在しない場合に前記ロッキング部材（６６、６８）と重なって近接した離間関係で配置可能である、請求項２５に記載のクイックコネクタ継手の保護キャップサブアセンブリ。
【請求項２７】
前記保護キャップ（１３２）の前記固定クリップ（１５４）の前記フックの少なくとも１つ（１６０）は、前記ロッキング部材の１つ（８０）に当接して、前記保護キャップサブアセンブリに前記シール部材（１８）が存在しない場合に前記拡径部（２２）及び前記ロッキングアーム（８０）の前記相対的な軸方向の動きを可能にするのに十分なほど前記ロッキング部材（６６、６８）が半径方向外方に曲がることを防止する、テーパ状当接面（１６６）を含む、請求項２６に記載のクイックコネクタ継手の保護キャップサブアセンブリ。
【請求項２８】
前記保護キャップ（１３２）はさらに、前記固定クリップ（１５４）それぞれに隣接して前記スリーブ（１３４）から半径方向外方に延びる半径方向停止部材（１７３）を含み、前記固定クリップは、該固定クリップ（１５４）それぞれの曲げ運動を制限するように前記半径方向停止部材（１７３）と係合可能である、請求項２４乃至２７のいずれか一項に記載のクイックコネクタ継手の保護キャップサブアセンブリ。
【請求項２９】
前記シール部材（１８）は、弾性Ｏリングである、請求項２１乃至２８のいずれか一項に記載のクイックコネクタ継手の保護キャップサブアセンブリ。